(57)【要約】  可動または取外し可能取付具、および短い鎖に連結されたチャームを含む宝飾品に関する。チャームを担持する鎖は可動または取外し可能取付具により保持される。一実施形態によれば、取付具はネジ山付きポストと係合する内ネジ山を有する。他の実施形態によれば、取付具はスロット付きバスケットへ差し込み式（bayonet)連結部材により連結される。チャームは、好適には、広範囲の設計、非制限例として、休暇テーマ、宗教テーマ、占星術星座、スポーツ等の代表チームのイニシャル、卒業年、結婚テーマ、ディズニーキャラクタのような商業キャラクタ、ＴＶキャラクタ、"I love you"等のメッセージにより提供される。取付具は異なる色の衣服、誕生石等に適合する異なる色の石を含んでよい。
2008529726.tif 000002
【特許請求の範囲】
【請求項１】
チャーム保持具、
前記チャーム保持具に対する可動取付具、
前記可動取付具が前記チャーム保持具に対して第一位置のときに前記チャーム保持具により保持される端に連結され、かつ可動取付具が前記チャーム保持具に対して第二位置のときに除去できるチャームを含む、宝飾品。
【請求項２】
前記チャーム保持具は第一係合要素を有するポストであり、
前記可動取付具は、第一係合要素に取外し自在に連結される第二係合要素を有し、かつ
前記ポストにより保持される端はループである、請求項１の宝飾品。
【請求項３】
前記可動取付具が前記チャーム保持具に対して第一位置のときに前記チャーム保持具により保持される端に連結され、かつ前記可動取付具が前記チャーム保持具に対して第二位置のときに取外すことのできる複数のチャームを更に含む、請求項１の宝飾品。
【請求項４】
第一係合要素は前記ポスト上にネジ山を有し、かつ第二係合要素は前記可動取付具内に内ネジ山を有する、請求項２の宝飾品。
【請求項５】
前記チャーム保持具は指輪に連結されている、請求項１の宝飾品。
【請求項６】
前記チャームは、休暇テーマ、宗教テーマ、占星術星座、スポーツ等の代表チームのイニシャル、卒業年、結婚テーマ、ディズニーのキャラクタのような商業キャラクタ、ＴＶキャラクタ、"I love you"等のメッセージから成る群から選択される、請求項１の宝飾品。
【請求項７】
前記チャーム保持具は、スロット付きバスケットである、請求項１の宝飾品。
【請求項８】
前記可動取付具は、差し込みマウント（bayonet mount)により前記スロット付きバスケットに連結されている、請求項７の宝飾品。
【請求項９】
前記スロット付きバスケットと前記可動取付具間にバネを更に含む、請求項８の宝飾品。
【請求項１０】
前記スロット付きバスケットは一対のボスを有し、かつ前記可動取付具は一対の係合差し込みスロットを有する、請求項９の宝飾品。
【請求項１１】
前記スロット付きバスケットは、離隔した二つのディスクを有し、下ディスクは鍵穴を形成し、かつ上ディスクは円形孔を形成し、
前記可動取付具は半径方向のボスを有する下方に延びたポストを有し、前記ポストおよび前記ボスは前記鍵穴へ移動可能であるが、前記ボスは前記円形孔により閉塞される、請求項９の宝飾品。
【請求項１２】
前記スロット付きバスケットは中央に位置するシリンダを有し、かつ
前記可動取付具は前記シリングへ伸長するポストを中央に有する、請求項９の宝飾品。
【請求項１３】
前記ポストは半径方向に延びたボスを有し、かつ
前記シリンダは前記ボスと係合する差し込みスロットを有する、請求項１２の宝飾品。
【請求項１４】
前記チャーム保持具はペンダントに連結されている、請求項１の宝飾品。
【請求項１５】
前記チャーム保持具はネックレスに連結されている、請求項１の宝飾品。
【請求項１６】
前記チャーム保持具はイヤリングに連結されている、請求項１の宝飾品。
【請求項１７】
前記チャーム保持具はバスケットに連結されている、請求項１の宝飾品。
【請求項１８】
フィンガ軸を形成する閉鎖ループ、
前記閉鎖ループに連結され、かつ第一位置から第二位置へ前記閉鎖ループに対して、前記フィンガ軸に実質的垂直の取付け軸に沿って移動可能な可動取付具、
前記可動取付具が第一位置のときに保持され、かつ前記可動取付具が第二位置のときに取外される端に連結されたチャームを含む、指輪。
【請求項１９】
前記取付具は、差し込みマウントにより前記閉鎖ループに連結されている、請求項１８の指輪。
【請求項２０】
前記閉鎖ループと前記可動取付具間にバネを更に含む、請求項１９の指輪。
【請求項２１】
前記閉鎖ループと前記可動取付具間にスロット付きバスケットを更に含む、請求項２０の指輪。
【請求項２２】
前記差し込みマウントは前記スロット付きバスケット内にシリンダを含み、前記シリンダはスロットを有する、請求項１９の指輪。
【請求項２３】
前記差し込みマウントは前記可動取付具から前記シリンダへ伸長するポストを更に含む、請求項２２の指輪。
【請求項２４】
前記差し込みマウントは前記ポストから前記シリンダのスロットへ伸長する半径方向のボスを更に含む、請求項２３の指輪。
【発明の詳細な説明】
【技術分野】
【０００１】
本発明は、広くは、宝石類に関する。具体的には、本発明は、交換可能かつ／または可動取付具および取付け取外し可能チャームを有するリング、ネックレス、イヤリング、ブレスレット、およびペンダントに関する。
【背景技術】
【０００２】
宝石は、特に女性および少女に非常にポストュラーなアクセサリである。指輪、ブレスレット、およびネックレスは最も一般的宝飾品である。指輪は、代表的には、貴石、または半貴石を担持する一つまたはそれ以上の据えつけ具を有する。ブレスレットおよびネックレスは、しばしば懸垂ペンダントまたはチャームを有する。チャームブレスレットは、典型的には経時的にチャームを集めてブレスレットに追加するユニークなものである。チャームは、通常、或るイベント、休暇、マイル標石等を記念にする。しかしながら、ブレスレットに一旦付加されると、チャームは一般的に容易に取外せない。結果的に、ブレスレットがチャームで一杯になると、もはや追加することはできない。
【発明の開示】
【発明が解決しようとする課題】
【０００３】
従って、本発明の課題は、新規かつ興味深い宝飾品を提供することにある。
【０００４】
本発明の他の課題は、ブレスレット、リング、ネックレス、イヤリングおよびペンダントの特徴を組み合わせた宝飾品を提供することにある。
【０００５】
本発明の他の課題は、装着者の気まぐれに適合する、容易に取付け取外しのできる宝飾品を提供することにある。
【０００６】
本発明の他の課題は、ブレスレット、リング、ネックレス、イヤリングおよびペンダントの特徴を組み合わせた宝飾品を提供することにある。
（発明の概要）
【０００７】
上記課題を解決するための本発明による宝飾品は、取外し可能または可動取付具(setting)、および前記可動取付具により保持される短い鎖（chain=チエーン)に連結されたチャーム（charm)を含む。前記取付具は、リング、ペンダント、ブレスレット、イヤリングまたはネックレスに取外し可能または移動可能に連結される。一実施形態によれば、前記取付具は、取外し可能に螺合または挿通され、かつ宝飾品は前記取付具に係合するネジ山付きポストを含む。この実施形態において、チャームはネジ山付きポストに適合する複数のワッシャまたはループに連結される。好適ワッシャは、複数のチャームが相互に対してフラットな状態の複数のワッシャと共にポストへ取付けことができるように、複数の耳を有する。他の実施形態において、安全キャッチが、ネジ山付きポストから取付具が偶発的に離脱することを防止するために設けられている。ネジ山付きポストはリング、ペンダント、ブレスレット、イヤリングまたはネックレスの一部であってよい。取外し可能取付具は、好適には、他の取付具と相互交換可能である。交換可能チャームは、非制限例として、休暇テーマ、宗教テーマ、占星術星座、スポーツ等の代表チームのイニシャル、卒業年、結婚テーマ、ディズニーのキャラクタのような商業キャラクタ、ＴＶキャラクタ、"I love you"等のメッセージを含む、広範囲のデザインにより提供される。交換可能取付具は、異なる色彩の服装、誕生石等に適合する異なる色の石を含み、またはイニシャル等の異なるモチーフを提供してよい。
【０００８】
第二実施形態によれば、取外し可能取付具は、周辺に差し込み（bayonet）錠スロットを有するシリンダである。宝飾品は、一対の内ボスを有するスロット付きシリンダを含み、一対の内ボスは取付具上で差し込み錠スロットと係合するように構成される。チャームはボール（または他の係合形状であってよい）およびチエーンを有する。ボールはスロット付きのシリンダ内に設置され、チエーンはスロットへ伸長する。ボールおよびスロットは、スロットへのボールの通過を阻止する寸法に形成される。チャームが設置された後に、取付具が取付けられる。好適には、バネが取付具とスロット付きシリンダ間に設けられる。
【０００９】
第二実施形態に類似の第三実施形態によれば、取付具は取外し不可能であって単に移動するのみである。この実施形態において、取付具は、ポストを有し、かつ宝飾品はポストを受けるシリンダを有する。シリンダは内溝を有し、かつポストは前記溝と係合する直交ボスを有する。バネがシリンダのまわりに設置されかつ取付具を宝飾品から付勢する。取付具の一方向への回転が取付具を解放し、かつ宝飾品に対する取付具の上方への移動を可能にし、チャームのボールをスロット内へ設置するための室を形成する。取付具はバネに対して移動して、チャームのボールを捕獲しているスロット上を閉鎖する。取付具の反対方向への回転は、宝飾品に対して取付具を係止する。
【００１０】
第三実施形態に類似の第四実施形態によれば、取付ポストは、事実上、シリンダであり、バネはシリンダ内に収容されて視認できない。第四実施形態は、第三実施形態と同様に作用する。
【００１１】
宝飾品の他の課題および利点は、図面を参照する詳細な説明から当業者に理解されるであろう。
【発明を実施するための最良の形態】
【００１２】
図１を参照すると、本発明による指輪１０は、装着者の指のまわりに快適に適合する寸法の閉鎖ループ１２を有し、半径外方向に延在するネジ山付きポスト１４、および内ネジ山１８を有する取付具１６を含む。取付具１６は、好適には、貴石または半貴石１９を受けかつ保持する。ここで使用される、用語「石」は、表示するために取付具により保持される何らかの物を意味する。必ずしも貴石、または半貴宝石または宝石の模造品である必要はなく、装飾、モチーフ等を提供するガラス、クリスタル、貴金属または他の金属であってよい。所望により、安全ラッチ（図示せず）が取付具をリングおよび／またはステムに係止するために使用できる。
【００１３】
上記説明から、当業者は、取付具１６がポスト１４から取外し、取付け可能であることを理解するであろう。従って、異なる石を保持する複数の取付具が相互交換可能にポスト１４へ取付けることができ、結果的に異なるスタイルのリングを提供する。相互交換可能取付具の石は、異なる色の石であってよく、異なる色彩の服装、誕生石等、またはモチーフもしくは装飾を付けた金属の「石」に合わせることができる。複数の石を保持する取付具が同様に使用できる。取付具は、好適には、銀、金、プラチナ等の貴金属から形成される。しかしながら、十代もしくは若い少女により入手可能なリングを提供するために、取付具は「白金」で形成されてよく、かつ石は、金属、ガラス、プラスチックを含む安価な材料により形成できる
【００１４】
図２を参照すると、本発明によるチャーム２０は、一つまたはそれ以上のチエーンリンクまたはループ２４によってチャーム要素２６に連結されるループ２２を含む。本発明によれば、チャームは、好適には、広範囲のデザイン、非制限例として、休暇テーマ、宗教テーマ、占星術星座、スポーツ等の代表チームのイニシャル、卒業年、結婚テーマ、ディズニーのキャラクタ等の商業キャラクタ、ＴＶキャラクタ、”I Love You"等のメッセージを含んでよい。
【００１５】
図３そして図１および２を参照すると、本発明による方法は、取付具１６を図１に示されたようにポスト１４から分離する。チャーム２０のループ２２をポスト１４上に設置し、かつ取付具１６を図３に示されたようにポストに再度取付ける。チエーンリンク２４は、ポストへ取付けられるときにチャームが装着者の指間に吊り下がらないように、十分に短い鎖に形成することが好適である。本発明の好適方法によれば、三個またはそれ以上のチャームが一回にリング、即ち、指輪へ取付けことができる。図４は二つのチャーム３６および４６を有するリングを示し、各チャームはループ３２，４２に連結されたチエーンリンク３４，４４に連結されている。ループ３２，４２は、頂点の取付具と共に示されたようにポスト上に位置決めされる。理解されるように、複数のチャームに適応するために、ポストは取付具内の内ネジ山の深さよりも長くする必要はない。この場合に、ブランクスペーサループ（即ちチャーム無し）は、最高数よりも少ないチャームが取付けられる場合にはステムの露出部を覆うように設けられてよい。
【００１６】
図５はチャーム１２０の他の実施形態を示す。チャーム１２０はリンク１２４によりチャーム要素１２６へ連結されたループ１２２を含む。この実施形態によれば、ループ１２２は耳１２３を有し、リンク１２４はその耳を貫通する。この耳は、図６に示されたようにポスト上への幾つかのループの積み重ねを可能にする（チャーム要素およびリンクは明確のために削除されている）。理解されるように、耳１２３，１２３７，１２３２を有する三個のループがポスト１４のまわりに設置され、耳は周辺方向に離隔している。この構成は、ループ１２２を、リンク１２４の干渉を伴うことなく、フラットにする。
【００１７】
図７および８は、本発明によるペンダント２００を概略的に示す。ペンダントはネックチエーン２０２、およびリンクまたはループ２０６によりネックチエーンへ取付けられたペンダント要素２０４を含む。この実施形態によれば、ペンダント要素２０４は図１に示されたポスト１４と同様のネジ山付きポストを有する。図１に示された取付具と同様の取付具１６はポスト２１４に螺合するように構成される。チャーム（図２では２０、または図５では１２０）はポスト２１４上に設置され、かつ取付具１６を取付けることにより固定される。
【００１８】
図９は、本発明によるネックウエアの他の例を示す。本発明によるネックレス３００は、三個のネジ山付きポスト３１４，３１４’，３１４”を支持する剛性または半剛性の首輪３０２を含む。三個の取付具１６（図１０）が設けられ、かつチャームは上述のごとくポストへ取付けられる。首輪およびペンダントの形態により、取付具１６は、異なる美観を有する他の取付具と相互交換可能であり、チャームを捕捉し、誕生石、黄道帯のシンボル、モノグラム等により個別化できる。換言すれば、本発明による宝石（例えば、リング、ネックウエア、ブレスレット、イヤリング）は取付具、チャーム、ならびに取付具およびチャームが混合かつ適合した宝飾品のシステムとして組立てることができる。
【００１９】
図１１および１２は、本発明によるリングおよびチャームの組立体の第二実施形態を示す。組立体４００は、装着者の指上に快適に適合する寸法の閉鎖ループ（リング）４１２を含む。実質的円筒形の「バスケット」４１４がループ４１２に対して半径方向に取付けられている。バスケットは複数の円周方向のスロット４１５、および直径方向に対峙する一対の内ボス(boss＝隆起)４１７を有する（図１２）。取外し可能取付具４１６は、バスケット４１４の内径よりも小さい外径を有する下シリンダ４０７を有する。下シリンダ４０７は、バスケット４１４上にそれぞれのボス４１７を受ける寸法の一対の直径方向に対峙した差し込み(bayonet)スロット４１８を有し、かつ下シリンダ４０７の内径よりも小さい直径のバネ４１９が同様に設けられている。チャーム４２０は、一つまたはそれ以上のリンク４２４によりチャーム要素４２６に連結された取付けボール４２２を含む。取付けボール４２２はスロット４１５の幅よりも大きい直径を有し、かつ取付けボール４２２に直接連結されたリンク４２４は、スロット４１５の幅よりも狭い直径を有する。上記説明から、当業者は、リングおよびチャームがスロット４１５内にボール４２２を設置し、バネ４１９をバスケット４１４内に設置し、シリンダ４０７をバネ４１９上に設置し、取付具４１６をバスケットへ付勢し、差し込みスロット４１８への開口がボス４１７を受け、そこで取付具４１６を回転させ、差し込みスロット４１８をボスに完全に係合させることにより組立てられることを理解するであろう。取付具４１６が弛緩されるときに、バネ４１９は取付具を僅かに上方へ付勢し、それによりボスをスロット４１８の両垂直端に係合させる。取付具を取外すには、バネを付勢し反対方向へ回転させることが必要である。取付具がボスにより捕獲される限り、スロット４１５の両端は取付具により被覆され、かつチャーム４２０はリングに確実に取付けられる。理解されるように、スロット付きバスケットバネおよび差し込み錠の構成は、ペンダントおよびネックレスに同様に適用できる。
【００２０】
図１３から１８は、本発明によるリング組立体５００の第三実施形態を示す。この組立体は、切頭円錐形（frustroconical)バスケット５１４を上に取付けた閉鎖ループ（リング）５１２を有する。バスケット５１４は、第三実施形態においてスロット５１４と同様の複数のスロット５１５を有し、かつスロットはチャーム４２０（図１１）と同様のチャームを捕獲できる寸法である。切頭円錐形取付具５１６は、バスケット５１４の上よりも僅かに大きい直径の下リップ５１６ａを有する。取付具５１６は上装飾石５１６ｂおよびその下で下方へ延在するステム５０７を有する。小さいシリンダ５１８が半径方向ボス５１８ａを有し、かつバネ５１９が設けられている。バスケット５１４の下は図１４に示されたように鍵穴５１４ａを有する。同様の鍵穴５１４ｃを有する第一ディスク５１４ｂは、バスケットの下から上へ離隔したバスケットの内側に設けられている。円形孔５１４ｅを有する第二ディスク５１４ｄは、第一ディスク５１４ｂとスロット５１５間でバスケット５１４の内側に設置される。鍵穴５１４ａおよび５１４ｃは、シリンダ５１８およびボス５１８ａの通過を可能にする寸法である。円形孔５１４ｅはシリンダ５１８の通過を可能にする寸法であるが、ボス５１８ａを通過させない。ステム５０７は孔５１４ａ，５１４ｃ，５１４ｅを通りシリンダ５１８へ適合する寸法である。
【００２１】
リング組立体５００は、バネ５１９をバスケット５１４へ設置し、ディスク５１４ｄ上に当接させることにより組立てられる。取付具５１６のステム５０７は、バネおよび孔５１４ｅを介して挿入される。取付具はバネに対して付勢され、ステム５０７を孔５１４ｃから孔５１４ａへ伸長させる。ステムの長さは、好適には、バスケットを通過するのではなく、バスケットの下面と同一面を形成する長さである。ボス５１８ａを有するシリンダ５１８は鍵穴５１４ａからステム５０７の下へ付勢される。シリンダは一つまたはそれ以上の力嵌め、溶接、接着等によりステムへ固定される。シリンダ５１８を取付具のステム５０７へ確実に連結することにより、取付具は弛緩し、かつボス５１８ａが孔５１４ｃ内の鍵路と一直線になるときにバネ５１９は取付具を図１７に示された位置まで上昇させ、ボスをディスク５１４ｄの下側に当接させる。取付具を下へ押してボスを孔５１４ｃ内の鍵路に整合させることにより、ボスを図１８に示されたようにディスク５１４ｄの下に設置する。取付具は、ボスが鍵路と整合しなくなるまで回転させて、ボスをディスク５１４ｃの下に捕捉する。この位置で、取付具のリップ５１６ａはバスケット５１４の上面と重なる。
【００２２】
理解されるように、図示実施形態において、取付具は３６０°を自由に回転する。好適実施形態によれば、取付具の回転は開放から閉鎖まで約９０°に制限される。これは、ディスク５１４ｂおよび５１４ｄ上に回転制限構造（図示せず）を設けることにより達成される。
【００２３】
図１９は、本発明によるリング組立体の第四実施形態を示す。この組立体は、閉鎖ループ（リング）６１２、およびスロット６１５を有するバスケット６１４を含む。取付具６１６は中央下方向に延在する中空ポスト、または半径方向ボス６１８ｂを受ける寸法の半径方向開口６１８ａを有するシリンダ６１８を有する。バスケッ６１４は、差し込みスロット６１４ｂを有する中央シリンダ６１４ａを有する。差し込みスロットは好適にはＬ字形、Ｊ形、またはブーメラン形状である。バネ６１９はポスト６１８の内側に適合する寸法で設けられる。シリンダ６１４ａ、中空ポスト６１８、およびボス６１８ｂは、ポスト６１８がシリンダ６１４ａの内側に適合し、かつボス６１８ｂがスロット６１４ｂへ侵入するような寸法で形成される。
【００２４】
組立体６００は、バネ６１９をポスト６１８へ挿入し、ポスト６１８およびバネ６１９をシリンダ６１４ａへ挿入し、かつボス６１８ｂをスロット６１４ｂを介してポスト６１８内の半径方向の孔６１８ａへ挿入することにより組立てられる。他の組立法は、ボス６１８ｂと共にポスト６１８をシリンダおよびスロットへ挿入し、かつスロットの頂部を溶接等で封止できるように、シリンダ６１４ａの頂部とスロット６１４ｂを連続するようにする。他の方法は、ボスをシリンダへ挿入後にポストからボスを引き出す。
【００２５】
組立体を図２０に示されたように組立てた後に、取付具６１６を上方へ付勢し、かつ差し込み孔内のボスと共に上方開放位置（図示）へ回転させるか、または下方閉鎖位置（図示せず）へ転換する。この実施形態は上述タイプのチャーム（図１１の４２０）を使用する。
【００２６】
図２１は本発明によるリング７００を示し、図２１において取付具７１６は磁気ポスト７１８（またはポストに取付けた磁石）を有し、かつ磁石はバスケット７１４内に設置される。
【００２７】
上記説明から理解されるように、本発明によるリングは閉鎖ループの中央にフィンガ軸を形成し、かつフィンガ軸に垂直の取付け軸を形成する。チャームは、取付け軸に実質的垂直の軸上でリングに取付けられる（取付具により捕獲される）。この場合、チャームに連結されるリンクの可撓性は考慮されていない。
【００２８】
図２２は、可動または取外し可能の取付具８１６、および一つまたはそれ以上の交換可能チャーム８２０を有する本発明による他のペンダントを示す。
【００２９】
図２３は、可動または取外し可能の取付具９１６、および一つまたはそれ以上の交換可能チャーム９２０を有する本発明によるイヤリング９００を示す。
【００３０】
図２４は、可動または取外し可能の一つまたはそれ以上の取付具１０１６、および各取付具に連結された一つまたはそれ以上の交換可能チャーム１０２０を有する本発明によるブレスレット１０００を示す。
【００３１】
以上、宝飾品の幾つかの実施形態およびその組立法を説明かつ図示した。本発明の特定形態が記載されているが、本発明はこれらに限定されることなく、当分野で可能な範囲内で広義に解釈されることが意図されている。例えば、リングは六個までのチャーム用として開示されているが、チャームの最大数はそれよりも多くても少なくてもよい。同様に、チャームは、チャーム捕獲固定具、即ち、チエーン保持取付具（例えばバスケット内ネジ山付きポストまたはスロット）により捕獲される端へチャームを連結する鎖またはチエーンリンクと共に示されているが、チャームは、チャーム捕獲固定具により捕獲される端へ可撓性または剛性部材により連結できる。更に、チャームの捕獲された端は「ボール」として説明および図示されているが、理解されるように同一機能を達成する他の形態が使用できる。従って、当業者には他の変更が特許請求の範囲およびその主旨を逸脱することなく可能であることが理解されるであろう。
【図面の簡単な説明】
【００３２】
【図１】本発明の第一実施形態によるリングの分解側面概略図である。
【図２】本発明によるチャームの側面概略図である。
【図３】リングに取付けたチャームの側面概略図である。
【図４】リングに取付けた複数のチャームの側面概略図である。
【図５】本発明による他のチャームの側面概略図である。
【図６】本発明による三つのワッシャの上面概略図である。
【図７】取外し自在の取付具を取外した状態の本発明によるペンダントの側面概略図である。
【図８】ペンダントおよび取外し自在の取付具の分解図である。
【図９】取付け可能取付具を取外した状態のネックレスの側面概略図である。
【図１０】ネックレスの一部および取外し可能取付具の分解断面図である。
【図１１】本発明によるリングの第二実施形態の分解側面概略図である。
【図１２】取付具およびチャームを取外した図１１のリングの上面概略図である。
【図１３】本発明の第三実施形態を示す分解透視概略図である。
【図１４】図１３のＡ−Ａ線に沿った断面図である。
【図１５】図１３のＢ−Ｂ線に沿った断面図である。
【図１６】図１３のＣ−Ｃ線に沿った断面図である。
【図１７】取付具を上方開放位置へ移動させた状態の、組立てた第三実施形態の分解側面概略図である。
【図１８】取付具を下方閉鎖位置へ移動させた状態の、組立てた第三実施形態の分解側面概略図である。
【図１９】本発明の第四実施形態の分解透視概略図である。
【図２０】取付具を上方開放位置へ移動させた状態の、組立てた第四実施形態の側面透視概略図である。
【図２１】本発明による第五実施形態の側面概略図であり、この事例において、取外し可能取付具は一つまたはそれ以上の磁石により宝飾品に連結される。
【図２２】本発明による他のペンダントの側面概略図である。
【図２３】本発明によるイヤリングの側面概略図である。
【図２４】本発明によるブレスレットの側面概略図である。
【図１】
2008529726.tif 000003
【図２】
2008529726.tif 000004
【図３】
2008529726.tif 000005
【図４】
2008529726.tif 000006
【図５】
2008529726.tif 000007
【図６】
2008529726.tif 000008
【図７】
2008529726.tif 000009
【図８】
2008529726.tif 000010
【図９】
2008529726.tif 000011
【図１０】
2008529726.tif 000012
【図１１】
2008529726.tif 000013
【図１２】
2008529726.tif 000014
【図１３】
2008529726.tif 000015
【図１４】
2008529726.tif 000016
【図１５】
2008529726.tif 000017
【図１６】
2008529726.tif 000018
【図１７】
2008529726.tif 000019
【図１８】
2008529726.tif 000020
【図１９】
2008529726.tif 000021
【図２０】
2008529726.tif 000022
【図２１】
2008529726.tif 000023
【図２２】
2008529726.tif 000024
【図２３】
2008529726.tif 000025
【図２４】
2008529726.tif 000026
【国際調査報告】
2008529726.tif 000027